(57)【要約】【課題】液晶表示部の洗濯条件の設定された内容と設定ボタンの視認性を高め、操作性を向上させる。【解決手段】洗濯条件および設定ボタンを表示する液晶パネル３４と、液晶パネル３４に重ねて配置し透明電極３３を裏面に有する透明板３１とを有し、透明板３１を指で触れることで操作を行うタッチパネル表示部３８を備え、洗濯条件は設定ボタン内に表示され、設定ボタン内に洗濯条件が表示される場合と、設定ボタン内に洗濯条件が表示されない場合とで設定ボタンの大きさが異なるようにしたことにより、必要な情報を的確に使用者に伝え、画面の視認性を高め、洗濯条件の把握と設定ボタンの識別性がよくなり操作性が向上する。【選択図】図７
2014033846.tif 000002
【特許請求の範囲】
【請求項１】
洗濯条件および設定ボタンを表示する液晶パネルと、前記液晶パネルに重ねて配置し透明電極を裏面に有する透明板とを有し、前記透明板を指で触れることで操作を行うタッチパネル表示部を備え、前記洗濯条件は前記設定ボタン内に表示され、前記設定ボタン内に前記洗濯条件が表示される場合と、前記設定ボタン内に前記洗濯条件が表示されない場合とで前記設定ボタンの大きさが異なるようにしたことを特徴とする洗濯機の操作表示装置。
【請求項２】
前記設定ボタンにより洗濯条件を変更した場合に、前記洗濯条件が前記設定ボタン内に表示されるようにした請求項１に記載の洗濯機の操作表示装置。
【請求項３】
予め決められた洗濯条件と異なる場合に、前記洗濯条件が前記設定ボタン内に表示されるようにした請求項１または２に記載の洗濯機の操作表示装置。
【請求項４】
前記設定ボタン内に前記洗濯条件が表示される場合には、前記設定ボタン内に前記洗濯条件が表示されない場合に比べて前記設定ボタンが大きく表示されるようにした請求項１〜３のいずれか１項に記載の洗濯機の操作表示装置。
【請求項５】
前記設定ボタンは、前記液晶パネルの画面上下方向における略中央に配置された第１の設定ボタンと、前記液晶パネルの画面上下方向における下部に配置された第２の設定ボタンとを備え、前記第２の設定ボタンについてのみ、前記設定ボタン内に前記洗濯条件が表示される場合と、前記設定ボタン内に前記洗濯条件が表示されない場合とで前記設定ボタンの大きさが異なるようにした請求項１〜４のいずれか１項に記載の洗濯機の操作表示装置。
【発明の詳細な説明】
【技術分野】
【０００１】
本発明は、液晶ディスプレイを搭載した操作部を有する洗濯機の操作表示装置に関するものである。
【背景技術】
【０００２】
従来、この種の洗濯機の操作表示装置は図８、図９に示すような構成としている。（例えば特許文献１参照）。
【０００３】
図８は、従来の洗濯機の操作表示装置の正面図を示すものであり、図９は、同従来の洗濯機の操作表示装置の制御装置の正面図を示す。
【０００４】
図８、図９に示すように、操作表示パネル１は上面にシート材で構成されたパネルシート２をインサート成形している。この操作表示パネル１に表示部３と操作部４を設け、表示部３に対応する位置に液晶パネル５を配し、操作部４に対応する位置に操作ボタン部６を配している。
【０００５】
行程ボタン６ａを押すことで液晶パネル５に表示する洗い、すすぎ、脱水、乾燥の各運転時間や設定条件等を変更することができ、コースボタン６ｂを押すことで液晶パネル５に表示する運転コースを変更することができ、洗濯乾燥切替ボタン６ｃを押すことで洗濯、洗濯〜乾燥、乾燥のみ、ミストの切替をすることができる。
【０００６】
電源を投入する電源入りボタン６ｄ、電源を遮断する電源切りボタン６ｅ、洗濯機の運転を開始させるスタートボタン６ｆが洗濯機本体に設けられている。
【０００７】
操作表示パネル１の操作ボタン部６の対応する位置に設けたボタン式電気スイッチ７と、操作ボタン部６が押されていることを報知するＬＥＤ素子８と、液晶パネル５とを積載した制御装置９を樹脂ケース１０に固定している。
【０００８】
樹脂ケース１０の周囲にはビス穴１１を設け、裏面からビス（図示せず）で操作表示パネル１に固定することで操作表示装置を形成する。
【先行技術文献】
【特許文献】
【０００９】
【特許文献１】特開２００８−６６１６３号公報
【発明の概要】
【発明が解決しようとする課題】
【００１０】
しかしながら、このような従来の洗濯機の操作表示装置の構成では、操作表示パネル上に多数の操作ボタンが存在し、使用者が設定しようとする際に操作ボタンが多いことで、目的の操作ボタンを探しにくいという課題があった。また、操作表示パネル上には多くの洗濯に関する設定内容が表示されており、操作ボタン同様、知りたい設定内容を発見しづらいという課題を有していた。
【課題を解決するための手段】
【００１１】
前記従来の課題を解決するために、本発明の洗濯機の操作表示装置は、洗濯条件および設定ボタンを表示する液晶パネルと、前記液晶パネルに重ねて配置し透明電極を裏面に有する透明板とを有し、前記透明板を指で触れることで操作を行うタッチパネル表示部を備え、前記洗濯条件は前記設定ボタン内に表示され、前記設定ボタン内に前記洗濯条件が表示される場合と、前記設定ボタン内に前記洗濯条件が表示されない場合とで前記設定ボタンの大きさが異なるようにしたことを特徴とするものである。
【００１２】
これによって、洗濯条件の重要度に応じて設定ボタンの大きさを変更し、重要な内容を目に付きやすくなるように液晶パネル上に表示するので、必要な情報を的確に使用者に伝え、画面の視認性を高め、洗濯条件の把握と設定ボタンの識別性がよくなり、操作性が向上する。
【発明の効果】
【００１３】
本発明の洗濯機の操作表示装置は、必要な情報を的確に使用者に伝え、画面の視認性を高め、洗濯条件の把握と設定ボタンの識別性がよくなり、操作性が向上する。
【図面の簡単な説明】
【００１４】
【図１】本発明の実施の形態１における洗濯機の縦断面図
【図２】同、洗濯機の全体斜視図
【図３】同、洗濯機の操作表示部の平面図
【図４】（ａ）同、図３におけるＡ−Ａ断面図、（ｂ）同、図３におけるＤ−Ｄ断面図
【図５】同、図３におけるＢ−Ｂ断面図
【図６】同、図３におけるＣ−Ｃ断面図
【図７】（ａ）同、洗濯機の操作表示部の液晶パネルの第１画面を示す図、（ｂ）同、第２画面を示す図、（ｃ）同、第２画面で洗い工程時間を変更した後の図、（ｄ）同、第２画面で水位設定を変更した後の図、（ｅ）同、第３画面を示す図、（ｆ）同、第４画面を示す図、（ｇ）同、第５画面を示す図、（ｈ）同、第６画面を示す図、（ｉ）同、第７画面を示す図
【図８】従来の洗濯機の操作表示装置の正面図
【図９】従来の洗濯機の操作表示装置の制御装置の正面図
【発明を実施するための形態】
【００１５】
第１の発明は、洗濯条件および設定ボタンを表示する液晶パネルと、前記液晶パネルに重ねて配置し透明電極を裏面に有する透明板とを有し、前記透明板を指で触れることで操作を行うタッチパネル表示部を備え、前記洗濯条件は前記設定ボタン内に表示され、前記設定ボタン内に前記洗濯条件が表示される場合と、前記設定ボタン内に前記洗濯条件が表示されない場合とで前記設定ボタンの大きさが異なるようにしたことにより、洗濯条件の重要度に応じて設定ボタンの大きさを変更し、より重要な内容をより目に付きやすくなるように液晶パネル上に表示するので、必要な情報を的確に使用者に伝え、画面の視認性を高め、洗濯条件の把握と設定ボタンの識別性がよくなり、操作性が向上する。
【００１６】
第２の発明は、特に、第１の発明において、前記設定ボタンにより洗濯条件を変更した場合に、前記洗濯条件が前記設定ボタン内に表示されるようにしたことにより、変更した洗濯条件が注意喚起され、内容が把握しやすくなり、画面の視認性を高め、洗濯条件の把握と設定ボタンの識別性がよくなり、操作性が向上する。
【００１７】
第３の発明は、特に、第１または第２の発明において、予め決められた洗濯条件と異なる場合に、前記洗濯条件が前記設定ボタン内に表示されるようにしたことにより、予め決められた洗濯条件と異なる洗濯条件が注意喚起され、使用者が関心を持つ洗濯条件が表示されることになり、画面の視認性を高め、洗濯条件の把握と設定ボタンの識別性がよくなり、操作性が向上する。
【００１８】
第４の発明は、特に、第１〜３のいずれか１つの発明において、前記設定ボタン内に前記洗濯条件が表示される場合には、前記設定ボタン内に前記洗濯条件が表示されない場合に比べて前記設定ボタンが大きく表示されるようにしたことにより、変更した洗濯条件や、予め決められた洗濯条件と異なる洗濯条件が注意喚起され、画面の視認性を高め、洗濯条件の把握と設定ボタンの識別性がよくなり、操作性が向上する。
【００１９】
第５の発明は、特に、第１〜４のいずれか１つの発明において、前記設定ボタンは、前記液晶パネルの画面上下方向における略中央に配置された第１の設定ボタンと、前記液晶パネルの画面上下方向における下部に配置された第２の設定ボタンとを備え、前記第２の設定ボタンについてのみ、前記設定ボタン内に前記洗濯条件が表示される場合と、前記設定ボタン内に前記洗濯条件が表示されない場合とで前記設定ボタンの大きさが異なるようにしたことにより、操作頻度が少なく重要度の低い設定ボタンを目立たないように配置し、相対的に操作頻度が多く重要度の高い設定ボタンに対する視認性を高め、必要な情報を的確に伝えることができる。
【００２０】
以下、本発明の実施の形態について、図面を参照しながら説明する。なお、この実施の形態によって本発明が限定されるものではない。
【００２１】
（実施の形態１）
図１は本発明の実施の形態１における洗濯機の縦断面図、図２は本発明の実施の形態１における洗濯機の全体斜視図を示すものである。
【００２２】
図１、図２において、洗濯機の本体１２内に、水槽１３が宙吊り状態に配設され、水槽１３内に有底円筒形に形成された回転ドラム１４がその軸心方向を正面側から背面側に向けて下向きに傾斜させてかつ回転自在に配設されている。
【００２３】
水槽１３の正面側には回転ドラム１４の開口端に通じる衣類出入口１５が形成され、本体１２の前面を構成する前部枠体１６の前部に形成された上向き傾斜面に設けられた投入開口部１７を開閉する扉１８を開くことにより、衣類出入口１５を通じて回転ドラム１４内の洗濯物を出し入れすることができる。
【００２４】
扉１８が上向き傾斜面に設けられているため、洗濯物を出し入れする作業が腰を屈めずに実施でき、水平横向きに設けた開口部から洗濯物を出し入れするドラム式洗濯機に比べて、作業性が良くなっている。
【００２５】
回転ドラム１４の周面に水槽１３内に通じる多数の透孔１９が形成され、水槽１３の背面側に取り付けられたモータ２０によって正転及び逆転方向に回転駆動される。前記水槽１３には、注水管路２１及び排水管路２２が配管接続され、注水弁２３および排水弁２４の制御によって水槽１３内への注水及び排水がなされる。
【００２６】
前部枠体１６の上部には操作表示パネル２５が配置され、その下部には洗剤投入ケース２６が前方に引き出し可能となるように前部枠体１６に配置されている。使用者は運転に先立ち洗剤を洗剤投入ケース２６に入れ、必要に応じて操作表示パネル２５を操作することにより、希望する運転内容を設定したり、運転スタート、一時停止を行ったり、運転の進行状態を認識したりすることができる。
【００２７】
扉１８を開いて回転ドラム１４内に洗濯物を投入して運転を開始すると、注水弁２３が開き、洗剤投入ケース２６内に水が注水され、その中に投入されていた洗剤を水で流しながら、注水管路２１を介して水槽１３内に所定量の注水がなされる。
【００２８】
所定水位に到達すると、モータ２０により回転ドラム１４が回転駆動されて洗濯行程が開始される。洗濯行程の洗濯物は、回転ドラム１４の回転により回転方向に持ち上げられ落下する撹拌動作が繰り返され洗濯がなされる。
【００２９】
所要の洗濯時間の後、排水弁２４が開き、汚れた洗濯液は排水管路２２から排出され、回転ドラム１４を高速回転させる脱水動作により、洗濯物に含まれた洗濯液を脱水する。
【００３０】
その後、排水弁２４が閉じられ、水槽１３内に注水管路２１から注水を行い、すすぎ行程が実施される。このすすぎ行程においても、洗濯物には回転ドラム１４の回転により撹拌動作が繰り返されてすすぎ洗いが実施される。
【００３１】
図３は本発明の実施の形態１における洗濯機の操作表示部の平面図、図４（ａ）は図３におけるＡ−Ａ断面図、図４（ｂ）は図３におけるＤ−Ｄ断面図、図５は図３におけるＢ−Ｂ断面図、図６は図３におけるＣ−Ｃ断面図示すものである。
【００３２】
図３、図４、図５、図６において、操作表示パネル２５は、前部枠体１６の上方と天板２７との間に配置されている。透明樹脂部２８の表面は、透明樹脂部２８にインサート成形されたＰＥＴフィルムからなるパネルシート２９で覆われている。パネルシート２９は、着色、印刷が施された化粧面を成し、透明樹脂部２８およびパネルシート２９には、その中央に略矩形形状を成す開口部３０が設けられている。
【００３３】
この開口部３０は透明樹脂もフィルムも無い領域であり、その裏面には透明ガラスからなる透明板３１が弾性体３２を介して操作表示パネル２５に取付けられており、弾性体３２は透明板３１の外周部を挟持し、透明樹脂部２８における開口部３０の周囲と透明板３１との間で、弾性体３２を押圧しながら固定している。
【００３４】
この透明板３１の裏面には、透明電極３３をＯＣＡと呼ばれる透明両面テープ３７で接着することで、タッチパネル表示部３８を形成する。従って、タッチパネル表示部３８は透明で透光性を有する。
【００３５】
また、タッチパネル表示部３８の裏面下側には、液晶パネル３４が液晶取付台３５に取付けられており、さらに、この液晶取付台３５の液晶パネル３４取付面と反対側には、透明電極３３や液晶パネル３４を制御するメイン制御基板３６が取付けられる。
【００３６】
このように、透明板３１、透明両面テープ３７、透明電極３３、液晶パネル３４、メイン制御基板３６の順で積み重ねられており、操作表示パネル２５の表側からは、タッチパネル表示部３８を形成する透明板３１、透明両面テープ３７、透明電極３３を介して、液晶パネル３４に表示される絵柄や文字を視認することができる。なお、液晶パネル３４の裏面側すなわちタッチパネル表示部３８と反対側に、面状に構成された照明装置を配置し、液晶パネル３４に照射することで、液晶パネル３４に表示される絵柄や文字の視認性を一層高めることもできる。
【００３７】
メイン制御基板３６には、タッチパネル表示部３８へ信号を入出力することで人がタッチ操作したかどうかを判定し、マイコン３９に判定信号を伝達させるタッチパネル専用ＩＣ４０を実装している。
【００３８】
透明板３１の裏側には、液晶パネル３４やメイン制御基板３６などの電装部品があり防水が必要となる。そこで略矩形形状の透明板３１の外周部を枠形状の弾性体３２で覆い、この弾性体３２を介して略矩形形状の開口部３０の裏面に取り付けている。
【００３９】
開口部３０の上辺４１および下辺４２の周囲において、透明板３１の表面側、裏面側、端面側の３方向を弾性体３２で挟持し、この透明板３１を挟持した弾性体３２を、操作表示パネル２５と液晶取付台３５との間に圧接することで、防水性を確保する。
【００４０】
また、開口部３０の左辺４３および右辺４４の周囲において、透明板３１の裏面側、端面側の２方向を弾性体３２に当接させ、この弾性体３２と透明板３１とを、操作表示パネル２５と液晶取付台３５との間に圧接することで、防水性を確保する。
【００４１】
なお、ここでは、開口部３０の左辺４３および右辺４４の周囲における防水構造と、開口部３０の上辺４１および下辺４２の周囲における防水構造とは異なる構成を例示したが、開口部３０の左辺４３および右辺４４の周囲における防水構造を、開口部３０の上辺４１および下辺４２の周囲における防水構造と同様の構成にしても良好な効果が得られる。
【００４２】
操作表示パネル２５の裏面において、開口部３０の４隅にはボス４５を設け、液晶取付台３５、および裏面カバー４６がビス４７で締結される。裏面カバー４６は、メイン制御基板３６を裏面から覆う樹脂部材から成っているものである。
【００４３】
ビス締結状態では、弾性体３２が液晶取付台３５に押圧され、弾性体３２が透明板３１および操作表示パネル２５と密着するので、開口部３０周囲の防水性が確保される。よって使用者が誤って開口部３０に水や液体洗剤をこぼしたりしても、内部にある液晶パネル３４やメイン制御基板３６といった電装部品に水が付着することが無く、部品の信頼性が確保され、故障や誤動作などが防止される。
【００４４】
また、透明板３１は、弾性体３２を介して開口部３０の裏面に取り付けられるので、外部から加わる衝撃を緩和し、衝撃によってガラスが破損することを防止できる。透明板３１には、例えば使用者が何かを落とした時や、製品が包装状態で使用者宅に届けられる物流の途中で、積荷状態から落下したり転倒したりされた時に衝撃力が加わる。その際、透明板３１の外周に弾性体３２を配置させることで衝撃を緩和する構造となり、外部から衝撃が加わっても破損を防止することができる。
【００４５】
操作表示パネル２５には、タッチパネル表示部３８から、分離、独立させたスタートボタン５４、電源入りボタン５２、電源切りボタン５３、戻るボタン５５を設けている。
【００４６】
スタートボタン５４は、洗濯機の運転コース等の各種設定を終えた後、使用者が洗濯機の動作の開始を指示するものである。電源入りボタン５２および電源切りボタン５３は、使用者が洗濯機の電源を入り切りするものである。戻るボタン５５は、使用者がタッチパネル表示部３８にて操作する際に、ひとつ手前の表示画面に戻す指示をするためのものである。
【００４７】
スタートボタン５４、電源入りボタン５２、電源切りボタン５３、戻るボタン５５は、それぞれタッチパネル表示部３８から分離、独立し、操作表示パネル２５内に設けられている。
【００４８】
スタートボタン５４、電源入りボタン５２、電源切りボタン５３、戻るボタン５５といった押圧操作ボタン部は、それぞれ同様に構成されている。スイッチ４９を積載したサブ制御基板５０が裏面カバー４６に固定されることにより操作表示パネル２５の内部に設けられ、また、スイッチ４９を押圧操作する操作部材５１が、操作表示パネル２５外部から押圧できるように操作表示パネル２５にはボタン開口部８０が設けられ、ボタン開口部８０は、操作表示パネル２５の表面に一体形成したパネルシート２９により塞がれている。これにより、ボタン開口部８０から水が内部に侵入するのを防止する。
【００４９】
このように、操作部材５１は操作表示パネル２５と裏面カバー４６の間に保持されるように設けられており、押圧操作ボタン部４８には透明樹脂部２８が無く、パネルシート２９のみが存在し、使用者はパネルシート２９を押圧することでパネルシート２９を変形させ、操作部材５１を介してスイッチ４９を押圧する。
【００５０】
これにより、使用者は、軽い操作力でスイッチ４９を操作でき、押圧操作するとスイッチ４９の入力信号がサブ制御基板５０からメイン制御基板３６のマイコン３９へ伝達される。
【００５１】
また、パネルシート２９により、押圧操作ボタン部４８から操作表示パネル２５内部への水の侵入は防止され、防水性が確保される。すなわち、タッチパネル表示部３８から、分離、独立させたスタートボタン５４、電源入りボタン５２、電源切りボタン５３、戻るボタン５５は、それぞれ防水性が確保される。
【００５２】
図７（ａ）〜（ｆ）は、本発明の実施の形態１における洗濯機の操作表示部の液晶パネルに表示される表示内容を例示する図である。
【００５３】
図３、図７を用いて簡単に洗濯機の運転動作を説明する。
【００５４】
図７（ａ）〜（ｆ）は液晶パネル３４に表示される表示内容を、透明電極３３及び透明両面テープ３７及び透明板３１をそれぞれ透過して視認できる画面を示しており、使用者は透明板３１の上を指でタッチ操作することで画面の切替や設定内容の変更等を行なう。このように、液晶パネル３４にはタッチ式の設定ボタンが表示される。
【００５５】
使用者はまず、操作表示パネル２５にある電源入りボタン５２を押すことで、洗濯機本体に電源を供給すると、液晶パネル３４が点灯し、図７（ａ）が表示される。
【００５６】
図７（ａ）は電源投入後の第１画面であり、その画面上には洗濯乾燥の切替を行なう洗濯タッチボタン５６ａ、洗濯〜乾燥タッチボタン５６ｂ、乾燥タッチボタン５６ｃが洗濯乾燥モードを選択する設定ボタンとして配置されている。
【００５７】
また、それぞれの洗濯乾燥モードにおけるコースで、特に使用者が良く使用すると考えられるおまかせタッチボタン５７ａを画面略中央に、わたし流タッチボタン５７ｂを画面略左側に、それ以外のコースをまとめた他コースタッチボタン５７ｃを画面略右側に、合計３個のタッチボタンを配置している。
【００５８】
また、画面下には使用者にとって有益な情報となりうる内容をまとめたメニュータッチボタン５８を設定ボタンとして配置する。
【００５９】
図７（ａ）において、使用者は洗濯乾燥モードを選択したのち、コースを設定する。本実施例では洗濯タッチボタン５６ａをタッチ操作した後、おまかせタッチボタン５７ａをタッチ操作したことで、図７（ｂ）の表示に切り替わる操作例で説明する。
【００６０】
図７（ｂ）は、図７（ａ）においておまかせタッチボタン５７ａをタッチ操作した際に画面遷移する第２画面であり、画面上下方向における略中央には、各工程時間を示すタッチボタンが設定ボタンとして配置され、画面左側から順に、洗い時間を示す洗いタッチボタン５９ａ、すすぎ回数を示すすすぎタッチボタン５９ｂ、脱水時間を示す脱水タッチボタン５９ｃを配置する。
【００６１】
また、画面下には運転におけるその他の詳細設定内容を示すタッチボタンが配置され、水位の設定方法を示す水位タッチボタン６０ａ、風呂水を使用するかどうかの風呂水タッチボタン６０ｂ、予約運転を行うかどうかの予約タッチボタン６０ｃが設定ボタンとして配置される。
【００６２】
図７（ｂ）に示すように、画面上下方向における略中央には、各工程時間を示すタッチボタンが設定ボタンとして大きく表示され、この設定ボタン内には、各工程時間の設定内容が表示され、現在の洗濯の方法はどのようになっているか、また、設定ボタンによってどのような内容を操作できるかが一目で分かるようになっている。
【００６３】
例えば、洗いタッチボタン５９ａには、洗い時間として設定された「自動」が表示され、洗い工程時間が洗濯物の量などに応じて自動で決定されることを示している。
【００６４】
また、図７（ｂ）に示すように、画面上下方向における下部には、運転におけるその他の詳細設定内容を示すタッチボタンが設定ボタンとして配置され、各工程時間を示すタッチボタンよりも小さく表示される。
【００６５】
図７（ｂ）に示すように、画面上下方向における略中央に配置されたタッチボタン５９ａ〜５９ｃを第１の設定ボタン、画面上下方向における下部に配置されたタッチボタン６０ａ〜６０ｃを第２ボタンとすると、第１ボタンの方が第２ボタンよりも重要な洗濯条件に該当する。このように、重要度に応じて設定ボタンの大きさと配置を変え、重要度の高い設定ボタンを、使用者に対して、より目に付きやすく表示した。
【００６６】
このように、操作頻度が少なく重要度の低い設定ボタンを目立たないように配置し、相対的に操作頻度が多く重要度の高い設定ボタンに対する視認性を高め、必要な情報を的確に伝えることができる。
【００６７】
図７（ｂ）に示すように、運転におけるその他の詳細設定内容を示すタッチボタン６０ａ〜６０ｃには、ボタン操作によって変更できる洗濯条件の項目名が表示されている。この例示によれば、洗濯条件の設定された内容については表示していない。
【００６８】
このような詳細設定の項目は、使用者の好みに応じて選択される設定内容と一致するように設けており、例えばタッチボタン６０ａ〜６０ｃがこれに該当する。このような洗濯条件については、使用者は、多くの場合、初期の設定の状態で使用することが想定される。
【００６９】
そこで、詳細設定内容を示すタッチボタン６０ａ〜６０ｃについて、通常は洗濯条件の設定内容を表示しないようにし、画面下部で目立たなくするようにすることで、相対的に工程時間を示すタッチボタンの項目名とその洗濯条件に設定された内容を目立たせることで、視認性を向上させている。
【００７０】
また、詳細設定内容を示すタッチボタン６０ａ〜６０ｃにおいて、洗濯条件の設定内容を表示しない場合には、各工程時間を示すタッチボタン５９ａ〜５９ｃとの間隔をより多く設けることができ、ボタンの押し間違いなどを防ぐことができる。
【００７１】
ここで、使用者が洗いの工程時間を変更するという想定で、設定内容の変更手順を説明する。
【００７２】
図７（ｅ）は、図７（ｂ）において洗いタッチボタン５９ａをタッチ操作した際に画面遷移する第３画面であり、その画面略中央に洗い時間を変更する洗いスライドボタン６１を設定ボタンとして配置し、画面下には変更した時間の決定を指示する決定タッチボタン６２を配置する。
【００７３】
使用者は、洗いスライドボタン６１を左右方向に動かすことで洗い工程時間を変更し、決定タッチボタン６２を押すことで変更した洗い工程時間を確定させる。決定タッチボタン６２を押すと再び第２画面に画面遷移し、図７（ｃ）のように表示される。
【００７４】
洗い工程時間の変更に伴い、洗いタッチボタン５９ａの設定内容表示が、新たに確定した「１５分」の表示に変更される。これにより、使用者は変更した設定内容を容易に確認できる。
【００７５】
図７（ｃ）の状態からさらに水位の詳細設定を「高め」に変更する手順について説明する。
【００７６】
図７（ｆ）は、図７（ｃ）において水位タッチボタン６０ａをタッチ操作した際に画面遷移する第４画面であり、その画面略中央には、洗濯水の水位設定を変更する設定ボタンとしてタッチボタン７７ａ〜７７ｃを配置し、画面下には変更した水位の決定を指示する決定タッチボタン６２を配置する。
【００７７】
洗濯条件として洗濯水位を設定するタッチボタン７７ａ〜７７ｃのうち、現在設定されている洗濯条件を示す自動水位タッチボタン７７ｂは、他の低め水位タッチボタン７７ａおよび高め水位タッチボタン７７ｃとは異なるタッチボタンの配色となっており、現在の設定がいずれであるかが容易に識別できる。
【００７８】
図７（ｆ）において、使用者は、高め水位タッチボタン７７ｃをタッチ操作することにより、洗濯水位を「自動」から「高め」の水位に変更することができる。高め水位タッチボタン７７ｃをタッチ操作した後、決定タッチボタン６２をタッチ操作することで、変更した水位設定が確定する。
【００７９】
決定タッチボタン６２をタッチ操作すると、再び第２画面に画面遷移し、図７（ｄ）のように表示される。洗濯水位の設定の変更に伴い、水位タッチボタン６０ａには、洗濯条件として新たに確定した「高め」の表示が追加される。このように、洗濯条件の項目名と洗濯条件の設定された内容とを表示する設定ボタンは、洗濯条件の設定された内容を表示しない設定ボタンに比べ大きく表示される。これにより、使用者に注意喚起し、使用者は変更した設定内容を容易に確認できる。
【００８０】
このように、洗濯条件の設定された内容を表示すると同時に、水位タッチボタン６０ａの高さ方向が拡大することで、設定内容を追加しても文字サイズは元の大きさを維持することが可能となり、小さな文字を視認しにくい高齢者などの使用者に対する視認性が向上する。
【００８１】
図７（ｄ）において、再び水位タッチボタン６０ａをタッチ操作し、図７（ｆ）のような第４画面に推移し、洗濯条件として洗濯水位を設定するタッチボタン７７ａ〜７７ｃのうち、「自動」を示す自動水位タッチボタン７７ｂをタッチ操作した後、決定タッチボタン６２をタッチ操作することで、使用者は、洗濯水位を「高め」から「自動」へ再び水位を戻すことができる。
【００８２】
この場合には、図７（ｃ）に示すような表示となり、洗濯水位の設定の変更があっても、水位タッチボタン６０ａには、洗濯条件として新たに確定した「自動」の表示は追加されない。このように、予め決められた洗濯条件と異なる場合に、洗濯条件が設定ボタン内に表示されるようにしている。これにより、液晶パネル画面上に表示される内容を少なくすることができ、必要な情報を的確に伝え、使用者の視認性が高められる。
【００８３】
また、風呂水使用「なし」に設定した場合など、洗濯条件の詳細設定の内容が「なし」の状態の場合に、洗濯条件の設定された内容を表示せず、洗濯条件の詳細設定の内容が「あり」の状態の場合に、洗濯条件の設定された内容を表示するようにすることで、使用者に対して注意喚起が適宜なされるようになり、使用者は容易に洗濯方法の状態を認識することができる。
【００８４】
また、洗い工程時間を０分に設定して工程を実行しないようにする場合など、設定された行程時間が「なし」の状態の場合は設定内容を表示せず、工程を実行する場合に、設定された行程時間を表示するようにすることで、使用者に対して注意喚起が適宜なされるようになり、使用者は容易に洗濯方法の状態を認識することができる。
【００８５】
図７（ｇ）は、図７（ａ）の他コースタッチボタン５７ｃをタッチ操作した際に画面遷移する第５画面であり、画面には第１画面に表示された、わたし流、おまかせ以外のコースとして使用可能な、ナイトタッチボタン６３ａ、おうちクリーニングタッチボタン６３ｂ、高洗浄消臭タッチボタン６３ｃ、毛布タッチボタン６３ｄ、念入り仕上げタッチボタン６３ｅ、槽洗浄タッチボタン６３ｆを設定ボタンとして配置する。使用者は、各タッチボタンを押すことでコースの選択を行い、また各タッチボタンを押すことで、再び図７（ｂ）の第２画面に画面遷移する。
【００８６】
図７（ｈ）は、図７（ａ）におけるメニュータッチボタン５８をタッチ操作した際に画面遷移する第６画面である。図７（ｈ）に示すように、画面には、取扱説明書の内容を一部抜粋して使用者に使い方を説明するタッチボタンが設けられ、操作の方法を説明する操作簡単ガイドタッチボタン６４ａ、コースの説明を行うコース説明タッチボタン６４ｂ、洗濯機のメンテナンスの方法を説明するお手入れの仕方タッチボタン６４ｃが設定ボタンとして配置される。また、一度設定すると基本変更しないような設定内容をまとめた設定変更タッチボタン６４ｄを配置する。
【００８７】
図７（ａ）〜図７（ｈ）に示す第１画面〜第６画面において、運転内容の設定が終了したとき、使用者は操作表示パネル２５に設けたスタートボタン５４を押すことで運転を開始する。このとき、図７（ｉ）に示す、運転状況を表示する運転表示画面である第７画面に画面遷移する。
【００８８】
なお、運転途中に運転を一時停止したいときはスタートボタン５４を押し、再開させたいときは再びスタートボタン５４を押すことで、運転の一時停止と再開ができる。
【００８９】
また、操作表示パネル２５に設けた電源切りボタン５３を押すことで、どのタイミングでも洗濯機の電源を切ることができる。
【００９０】
このように、洗濯方法の設定内容を、条件に応じて設定ボタンの中で表示／非表示させ、設定内容の表示状態に応じて設定ボタンの大きさを変更することにより、設定ボタンが識別しやすくなり、画面の視認性の向上が図れ、ボタンの押し間違いなどの誤操作を防止できる。
【００９１】
なお、本実施例においては、設定ボタンの拡大、縮小は設定ボタンの位置を変更せずに行っているが、設定ボタンを縮小させる際に設定ボタン位置を移動させてもよい。
【００９２】
また、設定ボタンに表示される項目名は変更せずに例示したが、項目名を例えば「水位」なら「水」と省略するなどして項目名を簡略化し、設定ボタンをより小さく表示しても良い。
【００９３】
さらに、本実施例では詳細設定に関する設定ボタンのみを小さく表示する対象として例示したが、逆に、洗い工程時間などの工程時間に関する設定ボタンを小さく表示してもよい。
【産業上の利用可能性】
【００９４】
以上のように、本発明にかかる洗濯機の操作表示装置は、設定内容に応じて設定ボタンの大きさを変更することにより、必要な情報を的確に使用者に伝え、画面の視認性を高め、洗濯条件の把握と設定ボタンの識別性がよくなり操作性が向上するので、タッチパネル表示部を有している水使用の各種機器等に適用できる。
【符号の説明】
【００９５】
３１  透明板
３３  透明電極
３４  液晶パネル
３８  タッチパネル表示部
【図１】
2014033846.tif 000003
【図２】
2014033846.tif 000004
【図３】
2014033846.tif 000005
【図４】
2014033846.tif 000006
【図５】
2014033846.tif 000007
【図６】
2014033846.tif 000008
【図７】
2014033846.tif 000009
【図８】
2014033846.tif 000010
【図９】
2014033846.tif 000011